(57)【要約】      （修正有）【課題】簡易な構造により、気密外囲器内面に配置する蛍光体の量及び表面積を増大させて、放射する光の強度を向上させることができる放電管を実現する。【解決手段】透明絶縁材より成る前面基板12と、透明絶縁材より成る背面基板14とを対向配置し、両基板12，14周縁を封止して気密外囲器18を形成すると共に該外囲器18内に放電ガスを封入し、また、上記前面基板12の内面12ａに、一対の透明な電極20，20を並設すると共に、これら電極20，20を透明な誘電体層22で被覆し、さらに、上記背面基板14の内面14ａに、多数の凹部24を形成すると共に、蛍光体26を被着・配置した放電管10。【選択図】図１
0003115069.tif 000002
【実用新案登録請求の範囲】
【請求項１】
透光性を有する気密外囲器の内部に放電ガス及び電極を封入すると共に、上記気密外囲器の内面に多数の凹部を形成し、さらに、上記凹部の形成された気密外囲器の内面に蛍光体を配置したことを特徴とする放電管。
【請求項２】
上記気密外囲器が、所定の間隙を隔てて対向配置された前面基板及び背面基板を有しており、上記背面基板の内面に、多数の上記凹部を形成すると共に上記蛍光体を配置したことを特徴とする請求項１に記載の放電管。
【請求項３】
上記凹部が、気密外囲器の内面にサンドブラスト処理を施して形成されることを特徴とする請求項１又は２に記載の放電管。
【考案の詳細な説明】
【技術分野】
【０００１】
この考案は、透光性を有する気密外囲器内に放電ガス及び電極を封入すると共に、気密外囲器内面に蛍光体を配置して成り、放電生成により上記蛍光体を励起させて紫外線等の光を放射する放電管に関し、特に、簡易な構造により、気密外囲器内面に配置する蛍光体の量及び表面積を増大させて、放射する光の強度を向上させることのできる放電管に関する。
【背景技術】
【０００２】
図６は、従来の放電管の一例を示すものであり、該放電管60は、ガラス等の透明絶縁材より成る前面基板62と、同じくガラス等の透明絶縁材より成る背面基板64とを、所定の間隙を隔てて対向配置すると共に、両基板62，64周縁を低融点ガラス等の封着材66を介して封止して気密外囲器68を形成し、さらに、気密外囲器68内に、後述する蛍光体74を励起させる波長の光（紫外線や可視光）を放射する放電ガスを封入して成る。
【０００３】
また、上記前面基板62の内面62ａには、一対の帯状の透明な電極70，70が所定の間隙を隔てて並設されている。一対の電極70，70及び前面基板62の内面62ａは、透明な誘電体層72で被覆されている。
さらに、上記背面基板64の内面64ａには、紫外線発光用の蛍光体74が被着されている。
【０００４】
上記放電管60にあっては、一対の電極70，70に電圧を印加すると、気密外囲器68内で放電が生成されて所定波長の光が放射される。放射された光が上記蛍光体74を励起することにより紫外線が放射され、該紫外線は、透明絶縁材で構成された前面基板62を透過して気密外囲器68外部へと放射されるようになっている。
【０００５】
前面基板62を透過して気密外囲器68の外部へ放射された紫外線の中で、例えば３００〜４００ｎｍの波長の紫外線を利用すれば、アナターゼ型の酸化チタン（ＴｉＯ２）等より成る光触媒の活性化が可能である。
【考案の開示】
【考案が解決しようとする課題】
【０００６】
ところで、上記放電管60から放射される紫外線（光）の強度は、蛍光体74の量及び表面積に略比例するものであることから、気密外囲器68の内面に配置する蛍光体74の量及び表面積を増大させることが、紫外線（光）の強度を向上させる上で望ましい。
【０００７】
本考案は、上記要請に応えるためになされたものであり、その目的とするところは、簡易な構造により、気密外囲器内面に配置する蛍光体の量及び表面積を増大させて、放射する光の強度を向上させることができる放電管の実現にある。
【課題を解決するための手段】
【０００８】
上記の目的を達成するため、本考案に係る放電管は、透光性を有する気密外囲器の内部に放電ガス及び電極を封入すると共に、上記気密外囲器の内面に多数の凹部を形成し、さらに、上記凹部の形成された気密外囲器の内面に蛍光体を配置したことを特徴とする。
【０００９】
上記気密外囲器は、例えば、所定の間隙を隔てて対向配置された前面基板及び背面基板を有するものを用いることができ、この場合、背面基板の内面に、多数の上記凹部が形成されると共に上記蛍光体が配置される。
【００１０】
上記凹部は、気密外囲器の内面にサンドブラスト処理を施すことにより形成することができる。
【考案の効果】
【００１１】
本考案に係る放電管にあっては、蛍光体が配置される気密外囲器の内面に多数の凹部を形成したので、気密外囲器内面の表面積を大きく確保することができる。この結果、気密外囲器の内面に被着する蛍光体の量及び表面積が増大し、放電管から放射される光の強度を向上させることができる。
【考案を実施するための最良の形態】
【００１２】
以下、図面に基づき、本考案に係る放電管の実施形態を説明する。
図１及び図２は、本考案に係る紫外線放射用の放電管10を示すものであり、該放電管10は、厚さ数mmの平板ガラス等の透明絶縁材より成る前面基板12と、同じく厚さ数mmの平板ガラス等の透明絶縁材より成る背面基板14とを、所定の間隙を隔てて対向配置すると共に、両基板12，14周縁を低融点ガラス等の封着材16を介して気密に封止して略扁平直方体形状の気密外囲器18を形成して成る。
さらに、気密外囲器18内には、後述する蛍光体を励起させる波長の光（紫外線や可視光）を放射する放電ガスが封入されている。尚、紫外線を放射する放電ガスとしては、例えば、１４７ｎｍと１７２ｎｍの紫外線を放射するアルゴンとキセノンの混合物が該当し、このガスは数十Torrのガス圧で封入される。
【００１３】
また、上記前面基板12の内面12ａには、一対の帯状の透明な電極20，20が所定の間隙を隔てて並設されている。これら一対の電極20，20は、透明な誘電体層22で被覆されている。上記電極20は、ＮＥＳＡ膜（ＳｎＯ２）やＩＴＯ膜（Ｉｎ２Ｏ３・ＳｎＯ２）等で構成され、上記誘電体層20は、ＭｇＯ等で構成される。
上記背面基板14の内面14ａには、多数の凹部24が形成されると共に、紫外線発光用の蛍光体26が被着・配置されている。尚、蛍光体26としては、例えば、ピーク波長が３６８ｎｍの紫外線を放射するＳｒ４ＢＯ７：Ｅｕが該当し、ニトロセルロースやエチルセルロース等のバインダーと混合して被着・焼成される。
【００１４】
上記本考案の放電管10にあっては、一対の電極20，20に電圧を印加すると、気密外囲器18内で放電が生成されて所定波長の光が放射される。放射された光が上記蛍光体26を励起することにより紫外線が放射され、該紫外線は、透明絶縁材で構成された前面基板12を透過して気密外囲器18外部へと放射される。
【００１５】
気密外囲器18の外部へ放射された紫外線の中で、３００〜４００ｎｍの波長の紫外線を利用すれば、アナターゼ型の酸化チタン（ＴｉＯ２）等より成る光触媒の活性化が可能である。
【００１６】
次に、図３乃至図５に基づいて、背面基板14に凹部24を形成すると共に、蛍光体26を被着する方法について説明する。
先ず、背面基板14の内面14ａに、多数の貫通孔28を有するマスク部材30を配置する（図３参照）。次に、マスク部材30の上方から背面基板14の内面14ａに向かって、粒子状の砂を圧縮空気で吹き付けるサンドブラスト処理を施す。
この結果、マスク部材30の貫通孔28に対応する箇所の背面基板14の内面14ａが所定深さ削られ、上記凹部24が形成される（図４）。尚、砂を吹き付ける時間や空気圧を調整することにより、任意の深さの凹部24を形成することができる。
その後、背面基板14の上方から、蛍光体26の分散された樹脂液を印刷塗布することにより、多数の凹部24の形成された背面基板14の内面14ａに蛍光体26が被着・配置される（図５）。
【００１７】
本考案の放電管10にあっては、蛍光体26が配置される背面基板14の内面14ａに多数の凹部24を形成したので、背面基板内面14ａの表面積を大きく確保することができる。この結果、背面基板14の内面14に被着する蛍光体18の量及び表面積が増大し、放電管10から放射される光の強度を向上させることができる。
【図面の簡単な説明】
【００１８】
【図１】本考案に係る放電管を示す概略断面図である。
【図２】図１のＡ−Ａ概略断面図である。
【図３】本考案に係る放電管の製造過程を示す説明図である。
【図４】本考案に係る放電管の製造過程を示す説明図である。
【図５】本考案に係る放電管の製造過程を示す説明図である。
【図６】従来の放電管を示す概略断面図である。
【符号の説明】
【００１９】
10  放電管
12  前面基板
14  背面基板
18  気密外囲器
20  電極
24  凹部
26  蛍光体
【図１】
0003115069.tif 000003
【図２】
0003115069.tif 000004
【図３】
0003115069.tif 000005
【図４】
0003115069.tif 000006
【図５】
0003115069.tif 000007
【図６】
0003115069.tif 000008